(57)【要約】【課題】２つのカメラを備え、一方のカメラの撮影画像上に、他方のカメラの正確な撮像範囲を表示できる電子機器を実現する。【解決手段】撮影方向が同じ第１カメラ（４）および第２カメラ（５）と、表示装置（２）と、制御装置（１０）と、を備え、制御装置（１０）は、第２カメラ（５）の撮像範囲を、第２カメラ（５）の最大撮像範囲に基づき設定される第２座標系で示す第２範囲情報として取得する座標取得処理と、第１カメラ（４）の撮像範囲に基づき設定される第１座標系において、第２範囲情報に対応する第１範囲情報を取得する座標変換処理と、第１範囲情報に基づく範囲を、第１カメラ（４）の撮影画像に重ねて表示装置（２）に表示させる撮像範囲表示処理と、を実行する。【選択図】図１
2020129716.tif 000002
【特許請求の範囲】
【請求項１】
電子機器に対して同じ側を撮影するように撮影方向が設定された第１カメラおよび第２カメラと、
前記第１カメラの撮影画像を表示する表示装置と、
制御装置と、を備え、
前記制御装置は、
前記第２カメラの撮像範囲を、前記第２カメラの最大撮像範囲に基づき設定される第２座標系で示す第２範囲情報として取得する座標取得処理と、
前記第１カメラの撮像範囲に基づき設定される第１座標系において、前記第２範囲情報に対応する第１範囲情報を取得する座標変換処理と、
前記第１範囲情報に基づく範囲を、前記第１カメラの撮影画像に重ねて前記表示装置に表示させる撮像範囲表示処理と、を実行する、電子機器。
【請求項２】
前記撮像範囲表示処理は、前記第２カメラの撮像範囲の位置および／またはズームによって前記第２カメラの撮像範囲の大きさを変更しても、前記第１カメラの撮影画像の表示サイズは維持する、請求項１に記載の電子機器。
【請求項３】
前記座標変換処理は、前記第１カメラの画角と前記第２カメラの画角との違いに関する情報に基づき、前記第１範囲情報を取得する、請求項１または２に記載の電子機器。
【請求項４】
前記座標変換処理は、前記第１カメラの光軸と前記第２カメラの光軸とのずれに関する情報に基づき、前記第１範囲情報を取得する、請求項１〜３の何れか１項に記載の電子機器。
【請求項５】
前記撮像範囲表示処理は、前記第１範囲情報に基づく範囲を枠として表示させる、請求項１〜４の何れか１項に記載の電子機器。
【請求項６】
前記第１カメラは動画撮影を行い、前記第２カメラは静止画撮影を行う、請求項１〜５の何れか１項に記載の電子機器。
【請求項７】
前記座標取得処理は、前記第２範囲情報に基づく範囲の少なくとも一部が前記第２座標系外の座標を含む範囲となる場合、前記第２範囲情報が前記第２座標系内に含まれるように、前記第２カメラの撮像範囲における中心の位置を補正する、請求項１〜６の何れか１項に記載の電子機器。
【請求項８】
請求項１に記載の電子機器における制御装置としてコンピュータを機能させるための制御プログラム。
【請求項９】
電子機器に対して同じ側を撮影するように撮影方向が設定された第１カメラおよび第２カメラと、
前記第１カメラの撮影画像を表示する表示装置と、を備える前記電子機器を制御する制御装置であって、
前記第２カメラの撮像範囲を、前記第２カメラの最大撮像範囲に基づき設定される第２座標系で示す第２範囲情報として取得する座標取得部と、
前記第１カメラの撮像範囲に基づき設定される第１座標系において、前記第２範囲情報に対応する第１範囲情報を取得する座標変換部と、
前記第１範囲情報に基づく範囲を、前記第１カメラの撮影画像に重ねて前記表示装置に表示させる撮像範囲表示部と、を含む、制御装置。
【請求項１０】
電子機器に対して同じ側を撮影するように撮影方向が設定された第１カメラおよび第２カメラと、
前記第１カメラの撮影画像を表示する表示装置と、を備える前記電子機器を制御するための制御方法であって、
前記第２カメラの撮像範囲を、前記第２カメラの最大撮像範囲に基づき設定される第２座標系で示す第２範囲情報として取得する座標取得工程と、
前記第１カメラの撮像範囲に基づき設定される第１座標系において、前記第２範囲情報に対応する第１範囲情報を取得する座標変換工程と、
前記第１範囲情報に基づく範囲を、前記第１カメラの撮影画像に重ねて前記表示装置に表示させる撮像範囲表示工程と、を含む、制御方法。
【発明の詳細な説明】
【技術分野】
【０００１】
本発明は、電子機器、制御プログラム、制御装置、および制御方法に関する。
【背景技術】
【０００２】
スマートフォン等の携帯型の電子機器において、２つのカメラを搭載し、それぞれのカメラは独立して動作する仕組みが提案されている。例えば特許文献１には、動画用撮像素子および静止画用撮像素子を備え、動画用撮像素子が動画撮影しながら、動画用撮像素子とは独立して静止画用撮像素子が静止画撮影を行う撮影装置が開示されている。
【先行技術文献】
【特許文献】
【０００３】
【特許文献１】特開２００５−９４４６５号公報
【発明の概要】
【発明が解決しようとする課題】
【０００４】
しかしながら、特許文献１に記載の撮影装置によれば、表示部には動画用カメラの撮影画像のみが表示され、ユーザは静止画用カメラの撮像範囲を認識できない問題点がある。当該問題点は、静止画カメラの撮像範囲を、動画用カメラの撮像範囲とは独立して電子ズームさせた場合により顕著となる。
【０００５】
本発明は、前記の問題点に鑑みてなされたものであり、その目的は、２つのカメラを備え、一方のカメラの撮影画像上に、他方のカメラの正確な撮像範囲を表示できる電子機器を実現することにある。
【課題を解決するための手段】
【０００６】
前記の課題を解決するために、本発明の一態様に係る電子機器は、電子機器に対して同じ側を撮影するように撮影方向が設定された第１カメラおよび第２カメラと、前記第１カメラの撮影画像を表示する表示装置と、制御装置と、を備え、前記制御装置は、前記第２カメラの撮像範囲を、前記第２カメラの最大撮像範囲に基づき設定される第２座標系で示す第２範囲情報として取得する座標取得処理と、前記第１カメラの撮像範囲に基づき設定される第１座標系において、前記第２範囲情報に対応する第１範囲情報を取得する座標変換処理と、前記第１範囲情報に基づく範囲を、前記第１カメラの撮影画像に重ねて前記表示装置に表示させる撮像範囲表示処理と、を実行する。
【０００７】
前記の課題を解決するために、本発明の一態様に係る制御装置は、電子機器に対して同じ側を撮影するように撮影方向が設定された第１カメラおよび第２カメラと、前記第１カメラの撮影画像を表示する表示装置と、を備える前記電子機器を制御する制御装置であって、前記第２カメラの撮像範囲を、前記第２カメラの最大撮像範囲に基づき設定される第２座標系で示す第２範囲情報として取得する座標取得部と、前記第１カメラの撮像範囲に基づき設定される第１座標系において、前記第２範囲情報に対応する第１範囲情報を取得する座標変換部と、前記第１範囲情報に基づく範囲を、前記第１カメラの撮影画像に重ねて前記表示装置に表示させる撮像範囲表示部と、を含む。
【０００８】
前記の課題を解決するために、本発明の一態様に係る制御方法は、電子機器に対して同じ側を撮影するように撮影方向が設定された第１カメラおよび第２カメラと、前記第１カメラの撮影画像を表示する表示装置と、を備える前記電子機器を制御するための制御方法であって、前記第２カメラの撮像範囲を、前記第２カメラの最大撮像範囲に基づき設定される第２座標系で示す第２範囲情報として取得する座標取得工程と、前記第１カメラの撮像範囲に基づき設定される第１座標系において、前記第２範囲情報に対応する第１範囲情報を取得する座標変換工程と、前記第１範囲情報に基づく範囲を、前記第１カメラの撮影画像に重ねて前記表示装置に表示させる撮像範囲表示工程と、を含む。
【発明の効果】
【０００９】
本発明の一態様によれば、第１カメラおよび第２カメラを備え、第１カメラの撮影画像上に、第２カメラの正確な撮像範囲を表示する電子機器を実現できる。
【図面の簡単な説明】
【００１０】
【図１】本発明の実施形態１に係るスマートフォンの機能構成を示すブロック図である。
【図２】本発明の実施形態１に係るスマートフォンであって、（ａ）は表面を示す模式図であり、（ｂ）は裏面を示す模式図である。
【図３】本発明の実施形態１に係るカメラの撮像範囲を座標変換した座標系であって、（ａ）は第１カメラの撮像範囲に基づく座標系を示す図であり、（ｂ）は第２カメラの撮像範囲に基づく座標系を示す図である。
【図４】本発明の実施形態１に係る第２カメラの撮像範囲が表示装置に表示された状態を示す模式図である。
【図５】本発明の実施形態１に係る制御装置による制御方法の一例を示すフローチャートである。
【図６】（ａ）および（ｂ）は、本発明の実施形態２に係る第２カメラの撮像範囲が表示装置に表示された状態を示す模式図であり、（ｃ）は、前記第２カメラの撮像範囲の位置を変更する態様を示す模式図である。
【図７】本発明の実施形態２に係るカメラの撮像範囲を座標変換した座標系であって、（ａ）は第１カメラの撮像範囲に基づく座標系を示す図であり、（ｂ）は第２カメラの撮像範囲に基づく座標系を示す図である。
【図８】本発明の実施形態２に係る制御装置による制御方法の一例を示すフローチャートである。
【発明を実施するための形態】
【００１１】
〔実施形態１〕
＜概要＞
本発明の一実施形態について、図１〜図５を参照して以下に説明する。図１は、本実施形態に係るスマートフォン（電子機器）１の機能構成を示すブロック図である。また、図２は、本実施形態に係るスマートフォン１であって、図２の（ａ）は表面６を示す模式図であり、図２の（ｂ）は裏面７を示す模式図である。図１および図２に示すように、スマートフォン１は、表示装置２、タッチパネル３、第１カメラ４、第２カメラ５、制御装置１０、およびメモリ５０を備える。なお、本実施形態に係る電子機器は、スマートフォン１に限られず、複数のカメラを備えたいかなる電子機器であってもよい。
【００１２】
表示装置２とタッチパネル３とは、スマートフォン１の表面６に重畳的に備えられる。ここで、表面６は、スマートフォン１における表示装置２が備えられる面を示す。また、裏面７は、スマートフォン１における表面６とは反対側の面を示す。
【００１３】
第１カメラ４および第２カメラ５は、スマートフォン１の裏面７に備えられている。このように、表示装置２と、第１カメラ４および第２カメラ５とが異なる面に備えられる構成によれば、ユーザは、表示装置２に表示される第１カメラ４または第２カメラ５の撮影画像を確認しながら、被写体を撮影することができる。
【００１４】
なお、第１カメラ４および第２カメラ５はスマートフォン１の表面６に備えられていてもよいが、第１カメラ４および第２カメラ５はスマートフォン１の同一面に備えられる。また、第１カメラ４および第２カメラ５は、スマートフォン１に対して同じ側を撮影するように撮影方向が設定されていればよく、例えば別の面に備えられるなど、同一面に備えられない場合も本発明に含まれる。
【００１５】
第１カメラ４および第２カメラ５は、ＣＣＤ（Charge Coupled Device）またはＣＭＯＳ（Complementary Metal Oxide Semiconductor）等を受光素子として備えるカメラである。第１カメラ４および第２カメラ５はそれぞれ、動画撮影および静止画撮影を行うカメラであってもよく、動画撮影または静止画撮影のいずれか一方のみ行うカメラであってもよい。本実施形態においては、第１カメラ４は動画撮影を行い、第２カメラ５は静止画撮影を行うことが好ましい。このような構成によれば、ユーザは、第１カメラ４による動画撮影を行いながら、第２カメラ５による静止画撮影を行うことができる。また、第１カメラ４および第２カメラ５はそれぞれ、２次元画像を撮影するカメラであってもよく、ステレオカメラ等のような３次元画像を撮影するカメラであってもよい。
【００１６】
＜制御装置１０＞
制御装置１０は、例えばＣＰＵ（Central Processing Unit）であり、スマートフォン１の各部を統括して制御する。制御装置１０は、座標取得部１１、座標変換部１２、撮像範囲表示部１３、表示制御部１４、タッチパネル制御部１５、第１カメラ制御部１６、および第２カメラ制御部１７を含む。
【００１７】
図３は、本実施形態に係るカメラの撮像範囲を座標変換した座標系であって、図３の（ａ）は第１カメラの撮像範囲に基づく座標系を示す図であり、図３の（ｂ）は第２カメラの撮像範囲に基づく座標系を示す図である。図３を参照して、座標取得部１１および座標変換部１２が実行する処理を以下に説明する。
【００１８】
（座標取得部１１）
座標取得部１１は、第１カメラ４の撮像範囲および第２カメラ５の撮像範囲Ｒ（図４を参照）を座標情報として取得する。図３の（ａ）に示すように、座標取得部１１は、第１カメラ４の撮像範囲に基づき、当該撮像範囲の中心を原点（０，０）とする第１座標系２０を設定する。なお、第１座標系２０の基準となる第１カメラ４の撮像範囲は、第１カメラ４の最大撮像範囲でもよく、第１カメラ４の現在の電子ズーム倍率に基づく第１カメラ４の撮像範囲でもよい。
【００１９】
また、図３の（ｂ）に示すように、座標取得部１１は、第２カメラ５の最大撮像範囲に基づき、当該最大撮像範囲の中心を原点（０，０）とする第２座標系３０を設定する。座標取得部１１は、第１座標系２０における任意の点の座標を（ｘａ，ｙａ）とし、第２座標系３０における所定の点の座標を（ｘｂ，ｙｂ）としたとき、ｘａ、ｘｂ、ｙａ、およびｙｂの値がいずれも−１以上１以下となるように、第１座標系２０および第２座標系３０における所定の点の座標を取得する。
【００２０】
そして、座標取得部１１は、現在の第２カメラ５の撮像範囲Ｒについて、中心位置である原点（０，０）、撮像範囲Ｒの左上の座標Ｂ１（ｘｂ１，ｙｂ１）、および撮像範囲Ｒの右下の座標Ｂ２（ｘｂ２，ｙｂ２）を含む情報を、第２範囲情報３１として取得する座標取得処理を実行する。なお、撮像範囲Ｒの上下左右は、便宜上図３の（ａ）および（ｂ）に向かっての上下左右として説明しているが、これに限られない。撮像範囲Ｒの上下左右は、被写体に対してスマートフォン１を構える向きによって変化してもよい。
【００２１】
ここで、撮像範囲Ｒは、第２カメラ５の電子ズーム倍率によって算出できる。すなわち、第２カメラ５の電子ズーム倍率をα倍としたとき、撮像範囲Ｒの大きさは、第２カメラ５の最大撮像範囲に対して（１／α）倍となる。したがって、座標取得部１１は、座標Ｂ１におけるｘｂ１およびｙｂ１の値は−（１／α）として、座標Ｂ２におけるｘｂ２およびｙｂ２の値は（１／α）として、それぞれ取得する。
【００２２】
（座標変換部１２）
座標変換部１２は、座標取得部１１が取得した第２範囲情報３１を、第１座標系２０における座標に変換して、当該座標の情報を第１範囲情報２１として取得する座標変換処理を実行する。すなわち、座標変換部１２は、第２範囲情報３１に含まれる、第２座標系３０の原点、座標Ｂ１および座標Ｂ２をそれぞれ、第１座標系２０の座標Ｄ（ｄｘ，ｄｙ）、座標Ａ１（ｘａ１，ｙａ１）および座標Ａ２（ｘａ２，ｙａ２）に変換する。すなわち、座標変換部１２は、座標Ｄ、座標Ａ１および座標Ａ２の情報を、第１範囲情報２１として取得する。
【００２３】
ここで、座標変換部１２は、座標Ｄを、第１カメラ４および第２カメラ５の光軸のずれに関する情報に基づき取得する。言い換えれば、座標変換部１２は、第１カメラ４の光軸と第２カメラ５の光軸とのずれに関する情報に基づき、第１範囲情報２１を取得する。当該光軸のずれに関する情報とは、例えば、第２カメラ５の原点の位置に対応する、第１座標系２０上の座標Ｄの位置情報であってもよい。
【００２４】
また、座標変換部１２は、座標Ａ１および座標Ａ２を、第１カメラ４および第２カメラ５の画角の違いに関する情報に基づき取得する。言い換えれば、座標変換部１２は、第１カメラ４の画角と第２カメラ５の画角との違いに関する情報に基づき、第１範囲情報２１を取得する。当該画角の違いに関する情報とは、例えば、第１カメラ４および第２カメラ５の最大撮像範囲の、スマートフォン１の長手方向および短手方向それぞれにおける長さの比率等に関する情報であってもよい。
【００２５】
座標変換部１２による、座標Ａ１および座標Ａ２の取得方法の一例を、以下に説明する。まず、第１カメラ４および第２カメラ５の最大撮像範囲の、前記長手方向における長さの比率をａ：ｂとする。また、一般的に、カメラの撮像範囲における長辺および短辺の長さの比率は同じであることが多いため、ここでは第１カメラ４および第２カメラ５の最大撮像範囲の、前記短手方向における長さの比率も、前記長手方向の長さの比率と同じくａ：ｂとする。また、座標Ｄは上述の通り（ｄｘ，ｄｙ）である。
【００２６】
以上の条件において、座標変換部１２は、第１範囲情報における座標Ａ１および座標Ａ２におけるｘａ１、ｙａ１、ｘａ２、およびｙａ２の値を、それぞれ以下の計算式により取得する。
【００２７】
ｘａ１＝ｄｘ−（１／α）×（ｂ／ａ）、
ｙａ１＝ｄｙ−（１／α）×（ｂ／ａ）、
ｘａ２＝ｄｘ＋（１／α）×（ｂ／ａ）、
ｙａ２＝ｄｙ＋（１／α）×（ｂ／ａ）。
【００２８】
なお、前記光軸のずれに関する情報および画角の違いに関する情報は、例えば、スマートフォン１の工場出荷時等に、後述するメモリ５０に記憶されてもよい。また、前記光軸のずれに関する情報について、第１カメラ４および第２カメラ５の光軸のずれが無視できる程度である場合、座標Ｄは第１座標系２０の原点としてもよい。
【００２９】
また、前記画角の違いに関する情報について、前記長手方向の長さの比率と、前記短手方向の長さの比率とは、異なる比率であってもよい。また、第１カメラ４の最大撮像範囲は、第２カメラ５の最大撮像範囲と同じか、または第２カメラ５の最大撮像範囲よりも大きい場合を例にとって説明しているが、これに限られない。
【００３０】
また、第１座標系２０が第１カメラ４の最大撮像範囲ではなく、第１カメラ４の現在の電子ズーム倍率に基づく第１カメラ４の撮像範囲に基づいて設定されている場合、座標変換部１２は、座標Ａ１および座標Ａ２を取得するにあたって、当該電子ズーム倍率を補正要素としてさらに加えてもよい。
【００３１】
（撮像範囲表示部１３）
撮像範囲表示部１３は、第１範囲情報２１に基づいて、第２カメラ５の撮像範囲Ｒを、表示装置２に表示されている第１カメラ４の撮影画像Ｐ（図４を参照）に重ねて、表示装置２に表示させる。言い換えれば、撮像範囲表示部１３は、第１範囲情報２１に基づく範囲（すなわち、撮像範囲Ｒ）を、第１カメラ４の撮影画像Ｐに重ねて表示装置２に表示させる、撮像範囲表示処理を実行する。
【００３２】
図４は、第２カメラ５の撮像範囲Ｒが表示装置２に表示された状態を示す模式図である。図４に示すように、表示装置２には、例えば、第１カメラ４の撮影画像Ｐ、撮像範囲Ｒ、シャッタボタンＳ、およびズーム操作バーＺが表示される。撮像範囲Ｒは、表示装置２に表示される第１カメラ４の撮影画像Ｐ上に重なるように表示される。
【００３３】
ここで、撮像範囲表示部１３は、ユーザによるタッチパネル３への入力等により、第２カメラ５の電子ズーム倍率を変更して、撮像範囲Ｒの大きさを変更してもよい。このとき、第２カメラ制御部１７は、例えば、表示装置２に表示されているズーム操作バーＺを指標とした、ユーザによるタッチパネル３へのタッチ操作（タップ操作およびスワイプ操作等が含まれてもよい）に応じて、第２カメラ５の電子ズーム倍率を変更する。
【００３４】
当該電子ズーム倍率の変更情報は座標取得部１１に取得され、座標取得部１１および座標変換部１２によって新たな電子ズーム倍率に対応した第１範囲情報２１が生成される。そして、撮像範囲表示部１３は、電子ズーム倍率の変更に応じて生成された第１範囲情報２１に基づき、表示装置２に表示される撮像範囲Ｒの大きさを変更する。
【００３５】
なお、ユーザによる電子ズーム操作は、タッチパネル３への入力によるものに限られず、例えば、スマートフォン１に備えられるボタンによる入力によるものであってもよいし、スマートフォン１が備える通信機能を介する入力によるものであってもよい。
【００３６】
このとき、撮像範囲表示部１３は、撮像範囲Ｒの大きさを変更しても、第１カメラ４の撮影画像Ｐの表示サイズは維持する（変更しない）。したがって、ユーザは、第１カメラ４の撮影画像Ｐに影響を与えることなく第２カメラの電子ズーム倍率を変更できる。また、ユーザは、現在の電子ズーム倍率に応じた撮像範囲Ｒを認識できる。
【００３７】
このような構成によれば、ユーザは、第１カメラ４の撮影画像Ｐを見ながら、撮像範囲Ｒを容易に認識できる。また、表示装置２に表示される撮像範囲Ｒは、第１カメラ４と第２カメラ５との光軸および画角の違いに関する情報等により補正される。そのため、撮像範囲表示部１３によって表示装置２に表示される撮像範囲Ｒは、第１カメラ４の撮影画像Ｐ上の正確な位置に表示される。したがって、ユーザは、第１カメラ４の撮影画像Ｐ上における、正確な撮像範囲Ｒを認識できる。
【００３８】
なお、撮像範囲表示部１３は、撮像範囲Ｒ（第１範囲情報２１に基づく範囲）を枠として表示装置２に表示させてもよい。また、撮像範囲表示部１３が撮像範囲Ｒを表示装置２に表示させる態様は、例えば、半透明に塗りつぶされた矩形として表示装置２に表示させてもよく、その他、ユーザが撮影画像Ｐおよび撮像範囲Ｒの両方を認識できる限りであれば、いかなる態様であってもよい。
【００３９】
また、図４に示すズーム操作バーＺは、表示装置２の長手方向の一端に沿うように、当該長手方向に延伸して表示され、表示装置２に向かって左側に向かうほど低倍率（Ｗｉｄｅ）、右側に向かうほど高倍率（Ｔｅｌｅ）となる例であるが、ズーム操作バーＺの態様はこの限りではない。ズーム操作バーＺは、表示装置２のいかなる位置に、いかなる方向に延伸して設けられるものであってもよい。また、ズーム操作バーＺのいずれの端部が低倍率側であってもよい。
【００４０】
また、表示装置２に表示される電子ズーム倍率の変更手段はズーム操作バーＺに限られず、例えば、電子ズーム倍率を複数の選択肢の中から選択するものであってもよく、または電子ズーム倍率を直接数字により指定するものであってもよい。
【００４１】
（スマートフォン１が備える各装置の制御部）
表示制御部１４は、表示装置２に表示される画像を制御する。すなわち、撮像範囲表示部１３により表示される第２カメラ５の撮像範囲Ｒは、表示制御部１４を介して表示装置２に表示される。
【００４２】
タッチパネル制御部１５は、表示制御部１４と連動してタッチパネル３へのタッチ操作を認識する。具体的には、タッチパネル制御部１５は、表示装置２に表示されている画像と、タッチパネル３へのタッチ操作があった位置とを取得して、いかなるタッチ操作によりいかなる命令が入力されたかを認識する。
【００４３】
第１カメラ制御部１６および第２カメラ制御部１７はそれぞれ、第１カメラ４および第２カメラ５の動作を制御する。例えば、タッチパネル３に入力された第２カメラ５の電子ズーム倍率の変更命令は、第２カメラ制御部１７によって取得され、第２カメラ制御部１７は第２カメラ５の電子ズーム倍率を変更する。
【００４４】
（メモリ５０）
メモリ５０は、スマートフォン１に搭載される各種プログラム、第１カメラ４および第２カメラ５の光軸ずれおよび画角等に関する情報、ユーザからの入力情報等を記憶する。例えばＨＤＤ（Hard Disk Drive）、ＳＳＤ（Solid State Drive）、またはＲＯＭ（Read Only Memory）である。また、メモリ５０は、前記プログラム等を展開するＲＡＭ（Random Access Memory）などをさらに備えていてもよい。
【００４５】
＜制御装置１０による制御方法の一例＞
図５は、本実施形態に係る制御装置１０による制御方法の一例を示すフローチャートである。図５を参照して、制御装置１０によるスマートフォン１の制御方法の一例について以下に説明する。
【００４６】
まず、第１カメラ制御部１６および第２カメラ制御部１７はそれぞれ、第１カメラ４および第２カメラ５を起動する（Ｓ１）。次に、表示制御部１４は、表示装置２に第１カメラ４の撮影画像Ｐを表示する（Ｓ２）。
【００４７】
次に、座標取得部１１は、第２カメラ５の電子ズーム倍率を取得する（Ｓ３）。当該電子ズーム倍率の初期値は、等倍であってもよく、スマートフォン１に予め記憶された倍率であってもよい。前記予め記憶された倍率とは、例えば、スマートフォン１の工場出荷時に設定された倍率であってもよく、ユーザによって設定された倍率であってもよく、前回第２カメラ５によって撮影が行われた時の、第２カメラ５の電子ズーム倍率であってもよい。
【００４８】
次に、座標取得部１１は、メモリ５０から座標変換用データを読み出す（Ｓ３）。前記座標変換用データとは、例えば、第１カメラ４および第２カメラ５の光軸ずれおよび画角の違い等に関する情報であってもよい。
【００４９】
次に、座標取得部１１は、第１カメラ４の撮像範囲に基づき設定される第１座標系２０および第２カメラ５の最大撮像範囲に基づき設定される第２座標系３０を設定する。そして、座標取得部１１は、第２座標系３０上における第２カメラ５の電子ズームの中心となる座標（ズーム中心座標）を取得する（Ｓ５）。当該ズーム中心座標は、本実施形態においては第２座標系３０の原点である。
【００５０】
次に、第２カメラ制御部１７は、第２カメラ５の電子ズームを実行する（Ｓ６）。当該電子ズームは、ステップＳ３において取得された電子ズーム倍率に基づいて実行される。
【００５１】
次に、座標取得部１１および座標変換部１２は、電子ズームされた第２カメラの撮像範囲Ｒを第１座標系２０上の座標に変換する（Ｓ７）。具体的には、まず座標取得部１１は、電子ズームされた撮像範囲Ｒを、第２座標系３０で示す第２範囲情報３１として取得する（座標取得工程）。また、座標変換部１２は、第１座標系２０において、第２範囲情報３１に対応する第１範囲情報２１を取得する（座標変換工程）。なお、第２範囲情報３１および第１範囲情報２１の詳しい取得方法は既に説明したため、ここでは省略する。
【００５２】
次に、撮像範囲表示部１３は、表示装置２に表示されている第１カメラ４の撮影画像Ｐ上に、電子ズームされた撮像範囲Ｒを示す枠を表示する（Ｓ８、撮像範囲表示工程）。
【００５３】
以上に示すように、制御装置１０による本実施形態に係る制御方法によれば、スマートフォン１は、表示装置２に第１カメラ４の撮影画像Ｐを表示しながら、電子ズームされた撮像範囲Ｒを、ユーザに容易に認識させることができる。
【００５４】
なお、制御装置１０は、ユーザによって第２カメラ５の電子ズーム倍率が変更された場合には、ステップＳ３に処理を戻して再度一連の処理を実行してもよい。このような構成によれば、ユーザによる第２カメラ５の電子ズーム倍率の変更と連動して、表示装置２に表示される、撮像範囲Ｒを示す枠の大きさを変更できる。したがって、ユーザは、第１カメラ４による撮影中は常に、最新の撮像範囲Ｒを認識できる。
【００５５】
〔実施形態２〕
本発明の他の実施形態について、以下に説明する。なお、説明の便宜上、前記実施形態にて説明した部材と同じ機能を有する部材については、同じ符号を付記し、その説明を繰り返さない。
【００５６】
＜概要＞
本実施形態に係るスマートフォン１は、座標取得部１１が取得する第２カメラ５の撮像範囲Ｒの中心を、第２座標系３０の原点以外の位置に設定可能である点において、実施形態１に係るスマートフォン１と異なる。
【００５７】
図６の（ａ）および（ｂ）は、本実施形態に係る第２カメラ５の撮像範囲Ｒが表示装置２に表示された状態を示す模式図であり、図６の（ｃ）は、第２カメラ５の撮像範囲Ｒの位置を変更する態様を示す模式図である。
【００５８】
一例として、図６の（ａ）に示すように、撮像範囲表示部１３によって、撮像範囲Ｒを示す枠が、表示装置２に表示されている第１カメラ４の撮影画像Ｐに重ねて表示装置２に表示される。図６の（ｂ）に示すように、ユーザは、表示装置２に表示されるズーム操作バーＺを、タッチパネル３を介して操作することで、撮像範囲Ｒの電子ズーム倍率を変更してもよい。
【００５９】
ここでスマートフォン１は、例えば、撮像範囲Ｒの位置を、ユーザ操作に応じた任意の位置に移動させてもよい。具体的には、図６の（ｃ）に示すように、ユーザは、タッチパネル３に対して、撮像範囲Ｒを示す枠のドラッグ操作を行うことで、撮像範囲Ｒの位置を、被写体Ｏｂ１を中心とする位置から、別の被写体Ｏｂ２を中心とする位置に変更してもよい。また、スマートフォン１は、一度ユーザが撮像範囲Ｒの位置を変更したら、当該変更後における撮像範囲Ｒの中心位置を基準として、撮像範囲Ｒの電子ズームを行ってもよい。
【００６０】
このような構成によれば、ユーザは、第１カメラ４の撮影画像Ｐ中の任意の被写体を中心として、第２カメラ５によって撮影することができる。すなわち、ユーザは、第１カメラ４と第２カメラ５とで、異なる被写体をそれぞれの撮像範囲の中心に位置させて撮影することができる。
【００６１】
＜制御装置１０＞
図７は、本実施形態に係るカメラの撮像範囲を座標変換した座標系であって、図７の（ａ）は第１カメラ４の撮像範囲に基づく座標系を示す図であり、図７の（ｂ）は第２カメラ５の撮像範囲Ｒに基づく座標系を示す図である。図７を参照して、本実施形態において座標取得部１１および座標変換部１２が行う処理を以下に説明する。
【００６２】
図７の（ａ）および（ｂ）に示すように、座標取得部１１は、第１カメラ４の撮像範囲および第２カメラ５の最大撮像範囲に基づいて、それぞれ第１座標系２０および第２座標系３０を設定する。ここで、本実施形態においては、第２カメラ５の撮像範囲Ｒの中心に対応する第２座標系３０上の座標が、原点（０，０）以外の位置であってもよい。
【００６３】
座標取得部１１はまず、第１座標系２０における、ユーザが指定した撮像範囲Ｒの中心位置の座標Ａ０を取得する。ここで、第１座標系２０上における、座標Ｄ（ｄｘ，ｄｙ）から現在の撮像範囲Ｒの中心位置までの距離を、撮像範囲Ｒの移動量（ｘａｍ，ｙａｍ）と定義する。そうすると、座標取得部１１は、撮像範囲Ｒの中心位置の座標Ａ０（ｘａ０，ｙａ０）におけるｘａ０およびｙａ０の値を、それぞれｘａ０＝ｄｘ＋ｘａｍ、ｙａ０＝ｄｙ＋ｙａｍとして取得する。なお座標Ｄ（ｄｘ，ｄｙ）は、実施形態１において説明した通り、第１カメラ４および第２カメラ５の光軸のずれに関する情報に基づいて決定されてもよい。
【００６４】
また、第１カメラ４の最大撮像範囲と第２カメラ５の最大撮像範囲との比率がａ：ｂである場合、座標取得部１１は、第２座標系３０上における撮像範囲Ｒの移動量（ｘｂｍ，ｙｂｍ）におけるｘｂｍおよびｙｂｍの値を、それぞれｘｂｍ＝ｘａｍ×（ａ／ｂ）、ｙｂｍ＝ｙａｍ×（ａ／ｂ）として取得する。なお、前記ａおよび前記ｂの値は、実施形態１において説明した通り、第１カメラ４と第２カメラ５との画角の違いに関する情報により決定されてもよい。
【００６５】
次に、座標取得部１１は、撮像範囲Ｒの中心位置の座標Ａ０に対応する、第２座標系３０上における座標Ｂ０（ｘｂ０，ｙｂ０）のｘｂ０およびｙｂ０の値について、撮像範囲Ｒの移動前の座標が原点（０，０）であることから、それぞれｘｂ０＝０＋ｘｂｍ＝ｘａｍ×（ａ／ｂ）、ｙｂ０＝０＋ｙｂｍ＝ｙａｍ×（ａ／ｂ）として取得する。
【００６６】
次に、撮像範囲Ｒの中心位置に対応する第２座標系３０上において、座標取得部１１は、第２カメラ５の電子ズーム倍率に応じた第２範囲情報３１を取得する。第２カメラ５の電子ズーム倍率をα倍とすると、撮像範囲Ｒは、第２カメラ５の最大撮像範囲に対して（１／α）倍となる。したがって、座標取得部１１は、第２座標系３０上において、座標Ｂ１におけるｘｂ１およびｙｂ１、並びに座標Ｂ２におけるｘｂ２およびｙｂ２を、それぞれ以下の計算式により取得する。
【００６７】
ｘｂ１＝ｘｂ０−（１／α）＝ｘａｍ×（ａ／ｂ）−（１／α）、
ｙｂ１＝ｙｂ０−（１／α）＝ｙａｍ×（ａ／ｂ）−（１／α）、
ｘｂ２＝ｘｂ０＋（１／α）＝ｘａｍ×（ａ／ｂ）＋（１／α）、
ｙｂ２＝ｙｂ０＋（１／α）＝ｙａｍ×（ａ／ｂ）＋（１／α）。
【００６８】
以上により、座標取得部１１は、現在の第２カメラ５の撮像範囲Ｒについて、座標Ｂ０（ｘｂ０，ｙｂ０）、座標Ｂ１（ｘｂ１，ｙｂ１）および座標Ｂ２（ｘｂ２，ｙｂ２）を含む情報を第２範囲情報３１として取得する、座標取得処理を実行する。
【００６９】
座標変換部１２は、座標取得部１１が取得した第２範囲情報３１を、第１座標系２０における座標に変換して、当該座標の情報を第１範囲情報２１として取得する、座標変換処理を実行する。すなわち、座標変換部１２は、第２範囲情報３１に含まれる、座標Ｂ０、座標Ｂ１および座標Ｂ２をそれぞれ、第１座標系２０の座標Ａ０（ｘａ０，ｙａ０）、座標Ａ１（ｘａ１，ｙａ１）および座標Ａ２（ｘａ２，ｙａ２）に変換する。
【００７０】
なお、座標Ａ０（ｘａ０，ｙａ０）におけるｘａ０およびｙａ０の値は、上述の通り、座標取得部１１によってｘａ０＝ｄｘ＋ｘａｍ、ｙａ０＝ｄｙ＋ｙａｍとして取得されていることから、座標変換部１２はこれらの値をそのまま取得する。
【００７１】
また、上述の通り、第１カメラ４の最大撮像範囲と第２カメラ５の最大撮像範囲との比率はａ：ｂであり、第２カメラ５の電子ズーム倍率はα倍であることから、座標変換部１２は、座標Ａ１および座標Ａ２におけるｘａ１、ｙａ１、ｘａ２およびｙａ２の値を、それぞれ以下の計算式により取得する。
【００７２】
ｘａ１＝ｘａ０−（１／α）×（ｂ／ａ）＝ｄｘ＋ｘａｍ−（１／α）×（ｂ／ａ）、
ｙａ１＝ｙａ０−（１／α）×（ｂ／ａ）＝ｄｙ＋ｙａｍ−（１／α）×（ｂ／ａ）、
ｘａ２＝ｘａ０＋（１／α）×（ｂ／ａ）＝ｄｘ＋ｘａｍ＋（１／α）×（ｂ／ａ）、
ｙａ２＝ｙａ０＋（１／α）×（ｂ／ａ）＝ｄｙ＋ｙａｍ＋（１／α）×（ｂ／ａ）。
【００７３】
以降は、実施形態１と同様に、撮像範囲表示部１３は座標変換部１２が取得した第１範囲情報２１に基づいて、第２カメラ５の撮像範囲Ｒを、表示装置２に表示する。なお、撮像範囲表示部１３は、ユーザによって撮像範囲Ｒの位置が変更されても、第１カメラ４の撮影画像Ｐの表示位置および表示サイズは維持する（変更しない）。したがって、ユーザは、第１カメラ４の撮影画像Ｐに影響を与えることなく、撮像範囲Ｒの位置を変更できる。
【００７４】
＜制御装置１０による制御方法の一例＞
図８は、本実施形態に係る制御装置１０による制御方法の一例を示すフローチャートである。図８を参照して、制御装置１０によるスマートフォン１の制御方法の一例について以下に説明する。
【００７５】
まず、第１カメラ制御部１６および第２カメラ制御部１７はそれぞれ、第１カメラ４および第２カメラ５を起動する（Ｓ１１）。次に、表示制御部１４は、表示装置２に第１カメラ４の撮影画像Ｐを表示する（Ｓ１２）。
【００７６】
次に、座標取得部１１は、第１カメラ４の撮像範囲に基づき設定される第１座標系２０および第２カメラ５の最大撮像範囲に基づき設定される第２座標系３０を設定する。そして、座標取得部１１は、第２カメラ５の撮像範囲Ｒの中心位置を、第１座標系２０上の座標Ａ０として取得する（Ｓ１３）。ここで、座標取得部１１は、メモリ５０から座標変換用データを読み出す（Ｓ１４）。前記座標変換用データとは、例えば、第１カメラ４および第２カメラ５の光軸ずれおよび画角の違い等に関する情報であってもよい。
【００７７】
次に、座標取得部１１は、座標Ａ０の情報に基づき、第２座標系３０上における第２カメラ５の電子ズームの中心となる座標Ｂ０（ズーム中心座標）を取得する（Ｓ１５）。座標Ｂ０は、本実施形態においては第２座標系３０上における原点以外の位置であってもよい。
【００７８】
次に、座標取得部１１は、座標Ｂ０が第２カメラ５の最大撮像範囲内に存在するか否かを判定する（Ｓ１６）。ここで、座標Ｂ０が第２カメラ５の最大撮像範囲内に存在しない場合（Ｓ１６でＮＯ）、座標取得部１１は、表示装置２にエラーメッセージを表示する（Ｓ１７）。なぜならば、この場合、座標Ａ０に対応する位置は第２カメラ５の最大撮像範囲外であるため、第２カメラ５によって座標Ａ０に対応する位置を中心として撮影することは不可能なためである。
【００７９】
一方、座標Ｂ０が第２カメラ５の最大撮像範囲内に存在する場合（Ｓ１６でＹＥＳ）、座標取得部１１は、第２カメラ５の電子ズーム倍率を取得する（Ｓ１８）。当該電子ズーム倍率の初期値は、等倍であってもよく、スマートフォン１に予め記憶された倍率であってもよい。前記予め記憶された倍率とは、例えば、スマートフォン１の工場出荷時に設定された倍率であってもよく、ユーザによって設定された倍率であってもよく、前回第２カメラ５によって撮影が行われた時の、第２カメラ５の電子ズーム倍率であってもよい。
【００８０】
次に、座標取得部１１は、第２座標系３０上での、電子ズームされた第２カメラ５の撮像範囲Ｒを取得する（Ｓ１９）。そして、座標取得部１１は、第２座標系３０上での撮像範囲Ｒは第２カメラ５の最大撮像範囲内に収まるか否かを判定する（Ｓ２０）。すなわち、第２座標系３０上での撮像範囲Ｒは、座標Ｂ０を中心とした場合に、第２カメラ５の最大撮像範囲内に収まらない場合（Ｓ２０でＮＯ）が考えられる。この場合、座標取得部１１は、座標Ｂ０（ズーム中心座標）の位置を、撮像範囲Ｒの全体が第２カメラ５の最大撮像範囲内に収まるように補正する（Ｓ２１）。
【００８１】
言い換えれば、座標取得部１１は、第２範囲情報３１の少なくとも一部が第２座標系３０外の座標を含む範囲となる場合、第２範囲情報３１が第２座標系３０内に含まれるように、第２カメラ５の撮像範囲Ｒの中心の位置を補正する。
【００８２】
一方、第２座標系３０上において、撮像範囲Ｒが第２カメラ５の最大撮像範囲内に収まる場合（Ｓ２０でＹＥＳ）、第２カメラ制御部１７は、第２カメラ５の電子ズームを実行する（Ｓ２２）。当該電子ズームは、ステップＳ１８において取得された電子ズーム倍率により実行される。
【００８３】
次に、座標取得部１１および座標変換部１２は、電子ズームされた第２カメラの撮像範囲Ｒを第１座標系２０上の座標に変換する（Ｓ２３）。具体的には、まず座標取得部１１は、電子ズームされた撮像範囲Ｒを、第２座標系３０で示す第２範囲情報３１として取得する（座標取得工程）。また、座標変換部１２は、第１座標系２０において、第２範囲情報３１に対応する第１範囲情報２１を取得する（座標変換工程）。なお、第２範囲情報３１および第１範囲情報２１の詳しい取得方法は既に説明したため、ここでは省略する。
【００８４】
次に、撮像範囲表示部１３は、表示装置２に表示されている第１カメラ４の撮影画像Ｐ上に、電子ズームされた撮像範囲Ｒを示す枠を表示する（Ｓ２４、撮像範囲表示工程）。
【００８５】
以上に示すように、制御装置１０による本実施形態に係る制御方法によれば、スマートフォン１は、表示装置２に第１カメラ４の撮影画像Ｐを表示しながら、電子ズームされた撮像範囲Ｒを、ユーザに容易に認識させることができる。
【００８６】
なお、制御装置１０は、ユーザによって第２カメラ５の電子ズーム倍率または撮像範囲Ｒの位置が変更された場合には、ステップＳ１３に処理を戻して、再度一連の処理を実行してもよい。このような構成によれば、ユーザによる第２カメラ５の電子ズーム倍率または撮像範囲Ｒの位置の変更と連動して、表示装置２に表示される、撮像範囲Ｒを示す枠の大きさおよび位置を変更できる。したがって、ユーザは、第１カメラ４による撮影中は常に、最新の撮像範囲Ｒを認識できる。
【００８７】
〔ソフトウェアによる実現例〕
制御装置１０の制御ブロック（特に座標取得部１１、座標変換部１２、および撮像範囲表示部１３）は、集積回路（ＩＣチップ）等に形成された論理回路（ハードウェア）によって実現してもよいし、ソフトウェアによって実現してもよい。
【００８８】
後者の場合、制御装置１０は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００８９】
〔まとめ〕
本発明の態様１に係る電子機器（スマートフォン１）は、電子機器（スマートフォン１）に対して同じ側を撮影するように撮影方向が設定された第１カメラ４および第２カメラ５と、前記第１カメラ４の撮影画像Ｐを表示する表示装置２と、制御装置１０と、を備え、前記制御装置１０は、前記第２カメラ５の撮像範囲Ｒを、前記第２カメラ５の最大撮像範囲に基づき設定される第２座標系３０で示す第２範囲情報３１として取得する座標取得処理と、前記第１カメラ４の撮像範囲に基づき設定される第１座標系２０において、前記第２範囲情報３１に対応する第１範囲情報２１を取得する座標変換処理と、前記第１範囲情報２１に基づく範囲を、前記第１カメラ４の撮影画像Ｐに重ねて前記表示装置２に表示させる撮像範囲表示処理と、を実行する。
【００９０】
このような構成によれば、制御装置は、表示装置に第１カメラの撮影画像を表示しながら、当該撮影画像に重ねて第２カメラの撮像範囲を表示装置に表示できる。そのため、ユーザは、第１カメラによる撮影を行いながら、第２カメラの撮像範囲を正確に認識できる。
【００９１】
本発明の態様２に係る電子機器（スマートフォン１）は、前記態様１において、前記撮像範囲表示処理は、前記第２カメラ５の撮像範囲Ｒの位置および／またはズームによって前記第２カメラ５の撮像範囲Ｒの大きさを変更しても、前記第１カメラ４の撮影画像Ｐの表示サイズは維持してもよい。
【００９２】
このような構成によれば、制御装置は、表示装置に表示される第１カメラの撮影画像の表示サイズに影響を与えず、表示装置に表示される第２カメラの撮像範囲の大きさのみ変更できる。そのため、ユーザは、第１カメラによる撮影とは独立して、第２カメラの撮像範囲を変更でき、また変更された第２カメラの撮像範囲を正確に認識できる。
【００９３】
本発明の態様３に係る電子機器（スマートフォン１）は、前記態様１または２において、前記座標変換処理は、前記第１カメラ４の画角と前記第２カメラ５の画角との違いに関する情報に基づき、前記第１範囲情報２１を取得してもよい。このような構成によれば、制御装置は、第１カメラの撮影画像上における、正確な第２カメラの撮像範囲を表示装置に表示させることができる。
【００９４】
本発明の態様４に係る電子機器（スマートフォン１）は、前記態様１〜３において、前記座標変換処理は、前記第１カメラ４の光軸と前記第２カメラ５の光軸とのずれに関する情報に基づき、前記第１範囲情報２１を取得してもよい。このような構成によれば、制御装置は、第１カメラの撮影画像上における、正確な第２カメラの撮像範囲を表示装置に表示させることができる。
【００９５】
本発明の態様５に係る電子機器（スマートフォン１）は、前記態様１〜４において、前記撮像範囲表示処理は、前記第１範囲情報２１に基づく範囲を枠として表示させてもよい。このような構成によれば、制御装置は、ユーザが認識しやすい方法により、表示装置に、第２カメラの撮像範囲を第１カメラの撮影画像に重ねて表示させることができる。
【００９６】
本発明の態様６に係る電子機器（スマートフォン１）は、前記態様１〜５において、前記第１カメラ４は動画撮影を行い、前記第２カメラ５は静止画撮影を行ってもよい。このような構成によれば、ユーザは、第１カメラにより動画撮影を行いながら、任意のタイミングにより、動画撮影の範囲内における任意の範囲を第２カメラによって静止画撮影することができる。
【００９７】
本発明の態様７に係る電子機器（スマートフォン１）は、前記態様１〜６において、前記座標取得処理は、前記第２範囲情報３１に基づく範囲の少なくとも一部が前記第２座標系３０外の座標を含む範囲となる場合、前記第２範囲情報３１が前記第２座標系３０内に含まれるように、前記第２カメラ５の撮像範囲Ｒの中心の位置を補正してもよい。
【００９８】
このような構成によれば、制御装置は、第２カメラの撮像範囲として、第１カメラの撮像範囲内には含まれているが、第２カメラの最大撮像範囲内には含まれない範囲が指定された場合に、第２カメラの撮像範囲の中心の位置を補正する。そのため、第２カメラにより撮影可能な範囲のみ撮像範囲として指定され、第２カメラによりユーザが意図しない範囲を撮影されることを抑制できる。
【００９９】
本発明の態様８に係る制御プログラムは、前記態様１に記載の電子機器（スマートフォン１）における制御装置としてコンピュータを機能させる。このような構成によれば、態様１と同様の効果を奏する。
【０１００】
本発明の態様９に係る制御装置は、電子機器（スマートフォン１）に対して同じ側を撮影するように撮影方向が設定された第１カメラ４および第２カメラ５と、前記第１カメラ４の撮影画像Ｐを表示する表示装置２と、を備える前記電子機器（スマートフォン１）を制御する制御装置であって、前記第２カメラ５の撮像範囲Ｒを、前記第２カメラ５の最大撮像範囲に基づき設定される第２座標系３０で示す第２範囲情報３１として取得する座標取得部１１と、前記第１カメラ４の撮像範囲に基づき設定される第１座標系２０において、前記第２範囲情報３１に対応する第１範囲情報２１を取得する座標変換部１２と、前記第１範囲情報２１に基づく範囲を、前記第１カメラ４の撮影画像Ｐに重ねて前記表示装置２に表示させる撮像範囲表示部１３と、を含む。
【０１０１】
このような構成によれば、態様１と同様の効果を奏する。
【０１０２】
本発明の態様１０に係る制御方法は、電子機器に対して同じ側を撮影するように撮影方向が設定された第１カメラおよび第２カメラと、前記第１カメラの撮影画像Ｐを表示する表示装置２と、を備える前記電子機器（スマートフォン１）を制御するための制御方法であって、前記第２カメラ５の撮像範囲Ｒを、前記第２カメラ５の最大撮像範囲に基づき設定される第２座標系３０で示す第２範囲情報３１として取得する座標取得工程と、前記第１カメラ４の撮像範囲に基づき設定される第１座標系２０において、前記第２範囲情報３１に対応する第１範囲情報２１を取得する座標変換工程と、前記第１範囲情報２１に基づく範囲を、前記第１カメラ４の撮影画像Ｐに重ねて前記表示装置２に表示させる撮像範囲表示工程と、を含む。
【０１０３】
このような構成によれば、態様１と同様の効果を奏する。
【０１０４】
〔付記事項〕
本発明の各態様に係る制御装置１０は、コンピュータによって実現してもよく、この場合には、コンピュータを制御装置１０が備える各部（ソフトウェア要素）として動作させることにより制御装置１０をコンピュータにて実現させるスマートフォン１の制御プログラム、およびそれを記録したコンピュータ読み取り可能な記録媒体も、本発明の範疇に入る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０６】
１  スマートフォン（電子機器）
２  表示装置
３  タッチパネル
４  第１カメラ
５  第２カメラ
６  表面
７  裏面
１０  制御装置
１１  座標取得部
１２  座標変換部
１３  撮像範囲表示部
１４  表示制御部
１５  タッチパネル制御部
１６  第１カメラ制御部
１７  第２カメラ制御部
２０  第１座標系
２１  第１範囲情報
３０  第２座標系
３１  第２範囲情報
５０  メモリ
【図１】
2020129716.tif 000003
【図２】
2020129716.tif 000004
【図３】
2020129716.tif 000005
【図４】
2020129716.tif 000006
【図５】
2020129716.tif 000007
【図６】
2020129716.tif 000008
【図７】
2020129716.tif 000009
【図８】
2020129716.tif 000010